【手続補正書】
【提出日】平成26年4月10日(2014.4.10)
【手続補正１】
【補正対象書類名】特許請求の範囲
【補正対象項目名】全文
【補正方法】変更
【補正の内容】
【特許請求の範囲】
【請求項１】
アルカリイオン水の生成領域と、酸性イオン水の生成領域である陽極室とを隔てるセラミック製の隔壁が設けられ、且つ、陽極室には陽極が設けられるとともに電解液が補給されるようになっており、前記アルカリイオン水の生成領域で生成されたアルカリイオン水を採取するための導電性金属からなるアルカリイオン水採取用配管が、陰極電位を印加する陰極として用いられる装置によって、
供給された原料水が電気分解されて、アルカリイオン水生成領域にアルカリイオン水が生成され、このアルカリイオン水が外部へ導かれる途中で水素ガスを分離して製造した強アルカリイオン水を溶媒とする超音波発生装置水槽内に繭玉又は繭糸を浸漬し、超音波による物理的な振動又は磁場を利用した電気的な浸透促進処理を行うことにより、常温状態を維持しながら抽出された高分子量のセリシン液を、
ゴム手袋内側表面に、均等になるよう浸漬、塗布又は噴霧した後、自然状態にて乾燥させることによって、低濃度のセリシンであっても、セリシンをゴム手袋の内側表面に強固に固着させることができることを特徴とするゴム手袋内側表面におけるセリシン固着加工方法。
【手続補正２】
【補正対象書類名】明細書
【補正対象項目名】全文
【補正方法】変更
【補正の内容】
【発明の詳細な説明】
【発明の名称】ゴム手袋内側表面におけるセリシン固着加工方法
【技術分野】
【０００１】
本発明は、超音波振動を用いて抽出されたセリシン液をゴム手袋の内側表面に加工することで、ゴム手袋内側表面に対してセリシンの特性を付加する加工方法を提供するものである。
【背景技術】
【０００２】
従来の絹タンパク質を得るための方法は、加熱処理等により絹タンパク質の低分子量化が避けられず、又、ゴム手袋への改質剤として用いる場合単独では用いることができず、固着剤や定着のための処理などが別途必要になる。
【０００３】
特許文献１では、高分子量のセリシンを抽出して取得する方法として、繭糸などのセリシンを含有する原料を尿素水溶液に１００℃を超える温度で浸漬して、セリシンを抽出し、この抽出液からクロマトグラフィー法などにより高分子量のセリシンを選択的に回収する方法が記載されている。特許文献２では、イオン水生成装置で得られたイオン水に繭糸などの原料を約９０℃で浸漬して、セリシンを加水分解しセリシンペプチド溶液を得ることが記載されている。
【先行技術文献】
【特許文献】
【０００４】
【特許文献１】特開平１１-９２５６４号公報
【特許文献２】特開平１０-２９９０９号公報
【発明の概要】
【発明が解決しようとする課題】
【０００５】
しかしながら、上記特許文献１及び２では、得られた絹タンパク質をゴム手袋の表面加工に用いる場合、付着力に劣る欠点があることから、固着剤や定着のための処理などが別途必要になる。又、天然物である絹タンパク質は加熱や薬品処理等により変質してしまうことが多く、天然物の特性をそのまま保持して用いるためには、その取り扱いを慎重に行う必要がある。
【課題を解決するための手段】
【０００６】
本発明は、超音波振動を用いて、強アルカリイオン水に繭糸を常温状態で浸漬することで抽出されたセリシン液を使用することで、上記課題を解決したものである。
【発明の効果】
【０００７】
常温状態でセリシンをほぼ自然の状態で抽出できるため、天然に存在する高分子量のセリシンの特性をほぼ損なうことなく用いることができ、浸漬、塗布又は噴霧によりゴム手袋表面に常温状態で抽出液を付着させた後乾燥することで、固着剤や定着のための処理を行うことなく、強固に固着させることができる。
【図面の簡単な説明】
【０００８】
【図１】本発明に係る強アルカリイオン水の製造装置を模式的に示す正面図である。
【発明を実施するための形態】
【０００９】
本発明に用いるセリシン液の製造に使用する強アルカリイオン水は、アルカリイオン水の生成領域と酸性イオン水の生成領域とを隔てるようにセラミック製の隔壁が設けられ、且つ、アルカリイオン水の生成領域で生成されたアルカリイオン水を採取するためのアルカリイオン水採取用配管が、陰極として用いられる装置によって生成されるが、具体的にその製造方法を説明すると、図１に示すように、容器２と隔壁３と原料水供給用配管４と電解液補給管５とアルカリイオン水採取用配管６とアルカリイオン水採取用配管６から分岐した水素排出管７と容器２に設けられた排出管８と陽極９とを有する。
【００１０】
容器２は、例えば上方が開口したもので、その容器２の内側には、例えば桶状をした隔壁３が設けられている。この隔壁３は、例えばテラコッタなどのセラミック製であり、多少の水分を内外方向に移動させることができる。この隔壁３の内側には、原料水供給用配管４を介して原料水が供給される。原料水供給用配管４は、その一端側の供給口４ａが隔壁３の底部近傍に達するよう配管され、他端側は原料水供給源、例えば水道配管（図示せず）に接続されている。なお、隔壁３の上に設けられた蓋３ａの材質は、水面よりも上方に位置するためセラミック製に限らず、任意のものを使用しても構わない。
【００１１】
アルカリイオン水採取用配管６は、一端側である取水口６ａを隔壁３の内部で上向きにした状態で配管されていて、取水口６ａより少し他端側に寄った位置で上方に折り曲げて隔壁３の上方に導出され、隔壁３よりも上方部分で水素ガス排出管７が上向きに分岐している。
【００１２】
上記アルカリイオン水採取用配管６と前記原料水供給用配管４は導電性金属からなるものが用いられ、これら配管６、４のそれぞれには陰極１０が電気的に接続されている。なお、両配管６、４は、導電性金属であることに加えて、耐腐食性に優れたものが好ましい。一方、容器２の内側であって隔壁３の外側は、陽極室１１として機能するようになっていて、その陽極室１１には前記陽極９が設けられるとともに電解液補給管５を介して電解液が補給されるようになっている。上記陽極９としては、例えば板状のもの又は棒状のものなどが用いられる。
【００１３】
よって、陽極室１１には陽極電位が、隔壁３の内側には陽極電位に対して負電位である陰極電位が印加されるため、隔壁３の内側はアルカリイオン水生成領域１３となり、陽極室１１は酸性イオン水生成領域となる。これにより、隔壁３の内側に供給された原料水が電気分解されて、アルカリイオン水生成領域１３にアルカリイオン水が、酸性イオン水生成領域１１には酸性イオン水が生成される。酸性イオン水生成領域１１の酸性イオン水は、所定水面高さに達すると排出管８を介して外部へ排出される。なお、アルカリイオン水採取用配管６の取水口６ａ側と原料水供給配管４の供給口４ａ側とは、アルカリイオン水の中に浸漬されている。
【００１４】
隔壁３の内側のアルカリイオン水は、取水口６ａからアルカリイオン水採取用配管６により外部へ導かれ、その途中で水素ガス排出管７により水素ガスが分離される。
【００１５】
こうして製造されたアルカリイオン水は、ｐＨの経時変化がほとんどない点、攪拌、振動等の物理的操作による影響をほとんど受けない点、材料の浸漬による影響をほとんど受けない点及び抽出液の経時変化がほとんどない点、アルカリイオン水中に発生する生成物が非常に少なく、水質が良好であり、且つ、生成速度に優れている点で、従来の強電解水に比べ優れた特性を備えている。
【００１６】
本発明に用いるセリシン液を製造する場合には、上記装置にて製造された強アルカリイオン水を溶媒として、超音波による物理的な振動又は磁場を利用した電気的な浸透促進処理を行うことにより、常温状態を維持しながらセリシンの抽出を行うことができる。
【実施例】
【００１７】
上述装置から生成された強アルカリイオン水によって抽出を行ったセリシン液を用いた手袋への加工処理について説明する。合成樹脂材であるニトリルからなる手袋を用意し、この手袋内側に平均分子量６万以上のセリシン液を均等になるよう噴霧した後、自然状態にて乾燥させ、セリシンが付着した手袋を作成した。
【００１８】
こうして作成した手袋を、ニンヒドリン試薬を用いた試薬試験（ＪＩＳ  Ｋ  ８００１）に基づきタンパク質及びアミノ酸の検出を測定したところ、手袋表面に顕著な青紫色の呈色が確認された。
【００１９】
以上のことから、セリシン液により合成樹脂材からなる手袋を表面加工すると、セリシンが確実に手袋に付着していると考えられる。特筆すべきは、セリシンの濃度が低いにもかかわらず、天然樹脂材（ゴム）及び合成樹脂材の表面に確実に付着していることである。このことは、本発明に使用されるセリシン液には、高分子量のセリシンが含まれているためと考えられ、低濃度のセリシンであっても確実かつ実用に耐えるだけの耐久性を備えた素材表面への固着加工を施すことができると考えられる。
【符号の説明】
【００２０】
１    イオン水製造装置
２    容器
３    隔壁
４    原料水供給用配管
６    アルカリイオン水採取用配管
９    陽極
10    陰極
11    酸性イオン水生成領域
13    アルカリイオン水生成領域